(57)【特許請求の範囲】
【請求項１】
建造物の壁面または天井に取付ける長方形のボード部材５の長さ方向と平行な縦枠８を、ボード部材５の幅方向に所定間隔おいて壁面または天井に複数取付けて壁側支持部材６とし、ボード部材５の長さ方向の両辺を縦枠８に所定間隔をおいて複数のビス３０を打ち込んで固定し、先行ボード部材５の上側の合わせ面２７に、断面が十字状の取付部材１０の突出部１６を載置し、取付部材１０の突出部１６上に次の後続ボード部材５の下側の合わせ面２７を載置して、取付部材１０の上側部１１と下側部１２を両者のボード部材５の裏面に当接させ、この状態で、ボード部材５と重なる取付部材１０の上側部１１と下側部１２にボード部材５の表側からビス３０を所定間隔をおいて複数打ち込んでボード部材５を取付ける継ぎ目ひび割れ防止用下地部材取付方法。
【請求項２】
請求項１において、前記取付部材１０は、前記ボード部材５の裏面に当接する上側部１１と下側部１２と、前記ボード部材５の裏面より裏側に突出する裏側中間部１３と、ボード部材５の表側に突出する突出部１６とを有して形成すると共に、裏側中間部１３の左右幅を前記縦枠８の設置間隔に略一致させて、裏側中間部１３の左右両側に前記縦枠８の側面に当接する側面当接部２５を形成し、前記突出部１６の左右両側には前記縦枠８の取付面９に当接する表面当接部２６を形成し、先行ボード部材５の上側の合わせ面２７に取付部材１０の突出部１６を載置するとき、前記側面当接部２５を左右の縦枠８の側面に当接させると共に、表側当接部２６を縦枠８の取付面９に当接させた状態で、取付部材１０の突出部１６上に次の後続ボード部材５の下側の合わせ面２７を載置し、ボード部材５と重なる取付部材１０の上側部１１と下側部１２にビス３０を打ち込んで、ボード部材５を取付ける継ぎ目ひび割れ防止用下地部材取付方法。
【請求項３】
請求項１または請求項２において、建造物の天井に、下方に垂下する吊りボルト４０を設け、吊りボルト４０に前記天井側支持部材６の上側支持部材８を取付け、ボード部材５の一方側の合わせ面２７に表側部材１８の突出部１６を当接させて取付部材１０の一方側部１２を載置し、前記側面当接部２５を左右の上側支持部材８の側面に当接させると共に、取付部材１０の左右の表側当接部２６を天井側支持部材６の上側支持部材８に当接させ、この状態の取付部材１０の突出部１６に次のボード部材５の他方側の合わせ面２７を当接させ、ボード部材５と重なる取付部材１０の他方側部１１と一方側部１２にビス３０を左右方向に所定間隔をおいて複数打ち込んでおこなう継ぎ目ひび割れ防止用下地部材取付方法。
【請求項４】
建造物の壁面または天井に所定間隔をおいて複数設けた固定側支持部材６の縦枠８に取付ける、ボード部材５の裏面に当接する上側部１１と下側部１２と、ボード部材５の裏面より裏側に突出する裏側中間部１３と、ボード部材５の裏面より表側に突出する突出部１６とを有して断面が十字状の取付部材１０を形成し、裏側中間部１３の左右両側に前記縦枠８の側面に当接する側面当接部２５を形成し、前記突出部１６の左右両側には前記縦枠８の取付面９に当接する表面当接部２６を形成した継ぎ目ひび割れ防止用下地部材取付用の取付部材。
【請求項５】
請求項４において、前記取付部材１０は、上側部１１と下側部１２の間に上下に重なる上側中間部１９と下側中間部２０により前記裏側中間部１３を形成し、上側中間部１９と下側中間部２０の間に形成した挿入溝２２に表側部材１８の挿入部２１を挿入した状態で、上側中間部１９と下側中間部２０を上下方向からカシメて裏側部材１５と表側部材１８とを固定して構成した継ぎ目ひび割れ防止用下地部材取付用の取付部材。
【発明の詳細な説明】
【技術分野】
【０００１】
本発明は、建造物の壁面または天井に取付ける下地部材の継ぎ目に張った内装材がひび割れを防止する、継ぎ目ひび割れ防止用下地部材取付方法とその取付部材に係るものである。
【背景技術】
【０００２】
従来、建造物の壁面にカギ型の取付部材の一辺をビスにより取付け、取付部材の他辺にボード部材をビスにより取付ける構成は、公知である（特許文献１）
【先行技術文献】
【特許文献】
【０００３】
【特許文献１】特開２０１２−１４４９６０
【発明の概要】
【発明が解決しようとする課題】
【０００４】
前記公知例は、板状のボード部材の一部を取付部材により支持する構成のため、点接触の点支持であり、支持強度が弱いという課題がある。
即ち、公知のボード部材は、取付部材以外の部分は支持されていないので、面内ずれ試験による強制変形角が所定角以上になると、ボード部材の継ぎ目が撓んで撓んだ部分に剪断抵抗が発生し、目地処理テープや壁紙を切断してひび割れが生じる。
本願は、ボード部材の継ぎ目部分の開きを防止することにより壁紙のひび割れを防止するように、ボード部材の取付を工夫したものである。
【課題を解決するための手段】
【０００５】
請求項１の発明は、建造物の壁面または天井に取付ける長方形のボード部材５の長さ方向と平行な縦枠８を、ボード部材５の幅方向に所定間隔おいて壁面または天井に複数取付けて壁側支持部材６とし、ボード部材５の長さ方向の両辺を縦枠８に所定間隔をおいて複数のビス３０を打ち込んで固定し、先行ボード部材５の上側の合わせ面２７に、断面が十字状の取付部材１０の突出部１６を載置し、取付部材１０の突出部１６上に次の後続ボード部材５の下側の合わせ面２７を載置して、取付部材１０の上側部１１と下側部１２を両者のボード部材５の裏面に当接させ、この状態で、ボード部材５と重なる取付部材１０の上側部１１と下側部１２にボード部材５の表側からビス３０を所定間隔をおいて複数打ち込んでボード部材５を取付ける継ぎ目ひび割れ防止用下地部材取付方法としたものである。
請求項２の発明は、前記取付部材１０は、前記ボード部材５の裏面に当接する上側部１１と下側部１２と、前記ボード部材５の裏面より裏側に突出する裏側中間部１３と、ボード部材５の表側に突出する突出部１６とを有して形成すると共に、裏側中間部１３の左右幅を前記縦枠８の設置間隔に略一致させて、裏側中間部１３の左右両側に前記縦枠８の側面に当接する側面当接部２５を形成し、前記突出部１６の左右両側には前記縦枠８の取付面９に当接する表面当接部２６を形成し、先行ボード部材５の上側の合わせ面２７に取付部材１０の突出部１６を載置するとき、前記側面当接部２５を左右の縦枠８の側面に当接させると共に、表側当接部２６を縦枠８の取付面９に当接させた状態で、取付部材１０の突出部１６上に次の後続ボード部材５の下側の合わせ面２７を載置し、ボード部材５と重なる取付部材１０の上側部１１と下側部１２にビス３０を打ち込んで、ボード部材５を取付ける継ぎ目ひび割れ防止用下地部材取付方法としたものである。
請求項３の発明は、建造物の天井に、下方に垂下する吊りボルト４０を設け、吊りボルト４０に前記天井側支持部材６の上側支持部材８を取付け、ボード部材５の一方側の合わせ面２７に表側部材１８の突出部１６を当接させて取付部材１０の一方側部１２を載置し、前記側面当接部２５を左右の上側支持部材８の側面に当接させると共に、取付部材１０の左右の表側当接部２６を天井側支持部材６の上側支持部材８に当接させ、この状態の取付部材１０の突出部１６に次のボード部材５の他方側の合わせ面２７を当接させ、ボード部材５と重なる取付部材１０の他方側部１１と一方側部１２にビス３０を左右方向に所定間隔をおいて複数打ち込んでおこなう継ぎ目ひび割れ防止用下地部材取付方法としたものである。
請求項４の発明は、建造物の壁面または天井に所定間隔をおいて複数設けた固定側支持部材６の縦枠８に取付ける、ボード部材５の裏面に当接する上側部１１と下側部１２と、ボード部材５の裏面より裏側に突出する裏側中間部１３と、ボード部材５の裏面より表側に突出する突出部１６とを有して断面が十字状の取付部材１０を形成し、裏側中間部１３の左右両側に前記縦枠８の側面に当接する側面当接部２５を形成し、前記突出部１６の左右両側には前記縦枠８の取付面９に当接する表面当接部２６を形成した継ぎ目ひび割れ防止用下地部材取付用の取付部材としたものである。
請求項５の発明は、前記取付部材１０は、上側部１１と下側部１２の間に上下に重なる上側中間部１９と下側中間部２０により前記裏側中間部１３を形成し、上側中間部１９と下側中間部２０の間に形成した挿入溝２２に表側部材１８の挿入部２１を挿入した状態で、上側中間部１９と下側中間部２０を上下方向からカシメて裏側部材１５と表側部材１８とを固定して構成した継ぎ目ひび割れ防止用下地部材取付用の取付部材としたものである。
【発明の効果】
【０００６】
請求項１記載の発明では、ボード部材５の長さ方向の両辺は縦枠８にビス３０を打ち込むことができて支持することができ、ボード部材５のボード部材５の幅方向は取付部材１０にビス３０を打ち込むことができて支持することができ、ボード部材５の取付支持強度を向上させ、ボード部材５の継ぎ目部分の開きを防止すると共に、継ぎ目部分の表裏方向のボード部材５の移動を防止して、壁紙にひび割れが発生するのを防止できる。ことができる。
請求項２記載の発明では、取付部材１０の表側当接部２６によりボード部材５の表裏方向の取付部材１０に掛かる荷重を支持でき、取付部材１０の側面当接部２５によりボード部材５の幅方向の取付部材１０に掛かる荷重を支持でき、ボード部材５の取付支持強度を向上させ、ボード部材５の継ぎ目部分の開きを防止することができる。
請求項３記載の発明では、天井のボード部材５の取付を可能にし、天井のボード部材５の取付支持強度を向上させ、ボード部材５の継ぎ目部分の開きを防止するだけでなく、ボード部材５の落下を抑制できる。
請求項４記載の発明では、ボード部材５の裏面に当接する上側部１１と下側部１２と、ボード部材５の裏面より裏側に突出する裏側中間部１３と、ボード部材５の裏面より表側に突出する突出部１６とにより断面が十字状に取付部材１０を形成しているので、ボード部材５と取付部材１０は上側部１１と下側部１２と裏側中間部１３と突出部１６により支持することができ、ボード部材５の取付支持強度を向上させ、ボード部材５の継ぎ目部分の開きを防止することができる。
請求項５記載の発明では、ボード部材５の取付支持強度を向上させる取付部材１０を容易に製造でき、ボード部材５の継ぎ目のひび割れ防止作業を低コストで実現できる。
【図面の簡単な説明】
【０００７】
【図１】ボード部材の取付状態の一例示す斜視図。
【図２】取付部材の組立状態の一例示す斜視図。
【図３】取付部材をボード部材の端部に装着した状態の断面図。
【図４】取付部材を壁面のボード部材の端部に装着した状態の平面図。
【図５】取付部材とボード部材をビスにより固定した断面図。
【図６】天井にボード部材を取付けた状態の正面図および同側面図。
【発明を実施するための形態】
【０００８】
本発明の方法を実施する構造を図において説明すると、１は建造物の壁面部であり、主として室内の内壁を指すが、外壁であってもよい。また、壁面部１は文字通りの壁部分の他に床面部２と天井面部３を含むものであるが、理解を容易にするために、室内の内壁部分として、以下説明する。
壁面部１には、プラスターボード、軽量気泡コンクリート板、セメント押出し成形板、石綿スレート板、珪酸カルシウム板、プレキャストコンクリート板、その他で構成されるボード部材（板部材）５を取付ける壁側支持部材６を設ける。
壁側支持部材６の構成は任意であるが、ランナと称される上下枠７にスタッドと称される縦枠８を所定間隔をおいて並設して形成され、少なくとも、縦枠８が壁面部１側に固定状態に取付けられていればよい。
縦枠８は所謂チャンネル鋼により形成され、室内（表面）側に面して略平坦な取付面９を有している。
【０００９】
壁側支持部材６には、建造物の外壁および内壁の軽量鉄骨下地や木造下地の軸組構造において仕上げ材料の直張りおよび捨張り並びに壁紙および塗装下地の類を、直接張り付ける直張りおよび捨張りとして使用される前記ボード部材５を、横取付部材１０を介して取付ける。
取付部材１０は、縦枠８に取付けるボード部材５の裏面に当接する上側部１１と下側部１２と、ボード部材５の裏面より裏側に突出する裏側中間部１３とにより形成される裏側部材１５と、ボード部材５の表面より表側に突出する突出部１６を有する表側部材１８とにより構成する。
前記裏側部材１５の裏側中間部１３は、上下に重なる上側中間部１９と下側中間部２０との間に表側部材１８の挿入部２１を挿入する挿入溝２２を形成する。
取付部材１０は、０．２ミリメートル乃至１．２ミリメートルの薄金属板により形成する。
【００１０】
取付部材１０の加工方法は任意であるが、例えば、薄金属板を打ち抜きプレス加工により、一枚板状の薄金属板を逆「ト」の字形状にして上下に重なる上側中間部１９と下側中間部２０との間に挿入溝２２を有する裏側部材１５とし、裏側部材１５の上側中間部１９と下側中間部２０の間に挿入溝２２を形成し、この挿入溝２２に表側部材１８の挿入部２１を挿入した状態で、上側中間部１９と下側中間部２０を上下方向からカシメて裏側部材１５に表側部材１８を固定し、断面が十字形状となるように形成する。
表側部材１８は前記挿入部２１を裏側部材１５の左右幅と略同幅とする。裏側部材１５の裏側中間部１３と表側部材１８の挿入部２１の左右幅を前記縦枠８の間隔と一致させ、裏側部材１５の左右両側部分が左右の縦枠８の側面に当接する側面当接部２５に形成する。
【００１１】
突出部１６の左右両側には側面当接部２５より側方に突出させて前記縦枠８の取付面９に当接する表側当接部２６を一体状に形成する。
取付部材１０は、ボード部材５の上側の合わせ面２７に、表側部材１８の突出部１６を載置し、表側部材１８の左右の表側当接部２６を壁側支持部材６の縦枠８に当接させ、この状態の取付部材１０の突出部１６上に次のボード部材５の下側の合わせ面２７を載置する。
ボード部材５と重なる取付部材１０の上側部１１と下側部１２にビス３０を所定間隔をおいて打ち込んで、ボード部材５と取付部材１０を壁側支持部材６に取付ける。
そのため、上下に設置されたボード部材５は、上下のボード部材５の各合わせ面２７の部分を幅方向に、取付部材１０により支持される。
【００１２】
取付部材１０は、ボード部材５の上側の合わせ面２７に、表側部材１８の突出部１６を載置したとき、落下しない重量バランスを有して構成すると（図３）、工具使用することなく取付部材１０をボード部材５の上側の合わせ面２７に載置すると、ボード部材５の重量で取付部材１０の突出部１６を上下側から挟持され、ボード部材５の固定作業を容易にでき好適である。
また、取付部材１０の裏側部材１５の上側中間部１９と下側中間部２０の左右幅は、壁側支持部材６の縦枠８の間の左右幅に一致させると（図４）、一層強固にボード部材５を支持でき、好適である。
【００１３】
図６は、天井面部３へのボード部材５の取付の施工例を示し、天井面部３から下方に垂下する吊りボルト４０に、野縁と称される天井側支持部材６の上側支持部材８を取付け、上側支持部材８に前記取付部材１０を介して前記ボード部材５を取付ける。
この実施形態では、ボード部材５の一方側（前側）の合わせ面２７に表側部材１８の突出部１６が当接するように、取付部材１０の裏側部材１５の一方側部１２を載置し、表側部材１８の左右の表側当接部２６を天井側支持部材６の上側支持部材８に当接させ、この状態の取付部材１０の突出部１６に次のボード部材５の他方側（後側）の合わせ面２７を当接させ、ボード部材５と重なる取付部材１０の他方側部１１と一方部１２にビス３０を左右方向に所定間隔をおいて複数打ち込んで、ボード部材５と取付部材１０を天井側支持部材６に取付ける。
【００１４】
そのため、前後（長さ方向）に設置されたボード部材５は、前後のボード部材５の各合わせ面２７の部分を左右方向（幅方向）に、取付部材１０により支持される。
この場合、取付部材１０は、ボード部材５の一方側の合わせ面２７に、裏側部材１５の一方側部１２を載置したとき、落下しない重量バランスを有して構成すると（図６）、ボード部材５の固定作業を容易にできて好適である。
【００１５】
（実施形態の作用）
次に本実施形態の作用を述べる。
建造物の床面部２と天井面部３とに、壁面部１に沿って上下枠７を夫々固定状態に取付ける。上下の上下枠７の壁面部１の横方向に所定間隔をおいて複数の縦枠８の上下両端を固定して、壁側支持部材６を組み上げる。
左右の縦枠８にボード部材５の左右縁を合わせて、ボード部材５の長さ方向の両辺を縦枠８に所定間隔をおいて複数のビス３０を打ち込んで固定する。先行ボード部材５の上側の合わせ面２７に、断面が十字状の取付部材１０の突出部１６を載置し、取付部材１０の突出部１６上に次の後続ボード部材５の下側の合わせ面２７を載置して、取付部材１０の上側部１１と下側部１２を両者のボード部材５の裏面に当接させ、この状態で、ボード部材５と重なる取付部材１０の上側部１１と下側部１２にボード部材５の表側からビス３０を所定間隔をおいて複数打ち込んでボード部材５を取付ける。
【００１６】
従来の壁面部１の取付工法では、アンカーボルトを壁面部１に打ち込んだり、所定の取付具を壁面部１に取付け、このアンカーボルトや所定の取付具にボード部材５をビス３０により留めていた。
そのため、面内ずれ試験による強制変形角が所定角以上になると、ボード部材５の上下左右の合わせ面２７が上下左右にずれてこの部分に剪断抵抗が発生し、目地処理テープや壁紙は切断され、ひび割れが生じる。
本願では、縦方向（長さ方向）は予め設置した壁側支持部材６の縦枠８にボード部材５をビス３０により固定し、横方向（幅方向）は縦のボード部材５の継ぎ目の間に設けた断面が十字状の取付部材１０にボード部材５をビス３０により固定するので、ボード部材５の上下左右の合わせ面２７に揺れの荷重が掛かっても、ボード部材５を強固に支持し、ボード部材５の合わせ面２７の継ぎ目が開くのを防止し、しかも、取付部材１０が継ぎ目部分の表裏方向のボード部材５の移動を防止し、壁紙にひび割れが発生するのを防止する。
【００１７】
取付部材１０は、ボード部材５の裏面に当接する上側部１１と下側部下側部１２と、ボード部材５の裏面より裏側に突出する裏側中間部裏側中間部１３と、ボード部材５の表側に突出する突出部１６とを有して形成すると共に、裏側中間部の左右幅を縦枠８の設置間隔に略一致させて、裏側中間部の左右両側に縦枠８の側面に当接する側面当接部２５を形成しているので、ボード部材５に掛かる横方向の荷重を取付部材１０が支持する。
【００１８】
そのため、壁側支持部材６の縦枠８と取付部材１０とが相俟ってボード部材５に掛かる横方向の荷重を支持し、ボード部材５の合わせ面２７の継ぎ目が開くのを防止し、しかも、取付部材１０が継ぎ目部分の表裏方向のボード部材５の移動を防止し、壁紙にひび割れが発生するのを防止する。
【００１９】
取付部材１０の突出部１６の左右両側には縦枠８の取付面９に当接する表面当接部表側当接部２６を形成しているので、先に固定したボード部材５の上側の合わせ面２７に取付部材１０の突出部１６を載置するとき、側面当接部２５を左右の縦枠８の側面に当接させると共に、表側当接部２６を縦枠８の取付面９に当接させた状態で、取付部材１０の突出部１６上に次の後続ボード部材５の下側の合わせ面２７を載置し、ボード部材５と重なる取付部材１０の上側部１１と下側部１２にビス３０を打ち込んで、ボード部材５を取付ける。
そのため、ボード部材５の表面から裏面方向に取付部材１０の上側部１１と下側部１２に掛かる荷重を、取付部材１０の表側当接部２６が壁側支持部材６の縦枠８の取付面９に当接して支持するので、ボード部材５の合わせ面２７の継ぎ目が開くのを防止し、壁紙にひび割れが発生するのを防止する。
【００２０】
取付部材１０は、ボード部材５の上側の合わせ面２７に、表側部材１８の突出部１６を載置したとき、落下しない重量バランスを有して構成しているので（図３）、ボード部材５の上側の合わせ面２７に取付部材１０の突出部１６を載置するときの取付部材１０の落下を防止でき、工具を使用することなく取付部材１０をボード部材５の上側の合わせ面２７に載置するだけで、ボード部材５の重量で取付部材１０の突出部１６を上下側から挟持され、ボード部材５の固定作業を容易にできる。
取付部材１０は、ボード部材５の裏面に当接する上側部１１と下側部下側部１２と、ボード部材５の裏面より裏側に突出する裏側中間部裏側中間部１３と、ボード部材５の表側に突出する突出部１６とを有して断面が十字状になるように形成しているので、上側部１１と下側部１２がボード部材５の横方向および表裏方向の荷重を支持し、突出部１６がボード部材５の縦方向の荷重を支持する。
【００２１】
そのため、取付部材１０はボード部材５に掛かる荷重を強固に支持して、ボード部材５の合わせ面２７の継ぎ目が開くのを防止し、壁紙にひび割れが発生するのを防止する。
取付部材１０の裏側中間部１３の左右両側に縦枠８の側面に当接する側面当接部２５を形成し、突出部１６の左右両側には縦枠８の取付面９に当接する表面当接部表側当接部２６を形成しているので、側面当接部２５が横方向の取付部材１０の移動を阻止し、表側当接部２６がボード部材５の表側からの荷重を支持する。
取付部材１０の裏側中間部１３は、上下に重なる上側中間部１９と下側中間部２０により、上側中間部１９と下側中間部２０の間に挿入溝２２を形成するように構成しているので、裏側中間部１３の挿入溝２２に表側部材１８の挿入部２１を挿入した状態で、上側中間部１９と下側中間部２０を上下方向からカシメて裏側部材１５と表側部材１８とを固定すると、取付部材１０の組立が完了する。
【００２２】
そのため、裏側部材１５と表側部材１８の二つの構成品により、断面が十字状となる取付部材１０を製造できるので、製造および組立を容易にでき、作業コストを低くする。
図６の天井面部３へのボード部材５の取付の実施形態では、天井面部３から下方に垂下する吊りボルト４０に、野縁と称される天井側支持部材６の上側支持部材８を取付け、上側支持部材８に取付部材１０を介してボード部材５を取付けるので、取付部材１０の長さ方向は上側支持部材８により支持され、取付部材１０の幅方向は取付部材１０により支持されるので、天井面３へのボード部材５の取付を可能にし、天井面３のボード部材５の取付支持強度を向上させ、ボード部材５の継ぎ目部分の開きを防止するだけでなく、ボード部材５の落下を抑制できる。
【００２３】
具体的には、ボード部材５の一方側（前側）の合わせ面２７に表側部材１８の突出部１６が当接するように、取付部材１０の裏側部材１５の一方側部１２を載置し、表側部材１８の左右の表側当接部２６を天井側支持部材６の上側支持部材８に当接させ、この状態の取付部材１０の突出部１６に次のボード部材５の他方側（後側）の合わせ面２７を当接させ（図６）、ボード部材５と重なる取付部材１０の他方側部１１と一方側部１２にビス３０を左右方向に所定間隔をおいて複数打ち込んで、ボード部材５と取付部材１０を天井側支持部材６に取付ける。
そのため、長さ方向に設置されたボード部材５は、上側支持部材８により支持され、幅方向のボード部材５は取付部材１０により支持される。
【００２４】
この場合、取付部材１０は、ボード部材５の一方側の合わせ面２７に、裏側部材１５の他方側部１２を載置したとき、落下しない重量バランスを有して構成しているので（図６）、ボード部材５の固定作業を容易にできて好適である。
【符号の説明】
【００２５】
１…壁面部  、２…床面部  、３…天井面部  、５…ボード部材  、６…壁側支持部材（天井側支持部材）  、７…上下枠  、８…縦枠（上側支持部材）  、９…取付面  、１０…取付部材、１１…上側部（他方側部）、１９…上側中間部、２０…下側中間部、１２…下側部（一方側部）、１３…裏側中間部、１５…裏側部材、１６…突出部、１８…表側部材、２１…挿入部、２２…挿入溝、２５…側面当接部、２６…表側当接部、２７…合わせ面、３０…ビス、４０…吊りボルト。
【要約】
【課題】下地となるボード部材の継ぎ目の開き、および、壁紙の目地部のひび割れ。
【解決手段】建造物の壁面に取付けるボード部材５の長さ方向と平行な縦枠８を、複数取付けて壁側支持部材６とする。ボード部材５の長さ方向の両辺を縦枠８に所定間隔をおいて複数のビス３０を打ち込んで固定する。先行ボード部材５の上側の合わせ面２７に、断面が十字状の取付部材１０の突出部１６を載置し、取付部材１０の突出部１６上に次の後続ボード部材５の下側の合わせ面２７を載置して、取付部材１０の上側部１１と下側部１２を両者のボード部材５の裏面に当接させ、この状態で、ボード部材５と重なる取付部材１０の上側部１１と下側部１２にボード部材５の表側からビス３０を所定間隔をおいて複数打ち込んでボード部材５を取付ける。
【選択図】図５【図１】
0005489308.tif 000002
【図２】
0005489308.tif 000003
【図３】
0005489308.tif 000004
【図４】
0005489308.tif 000005
【図５】
0005489308.tif 000006
【図６】
0005489308.tif 000007